(57)【特許請求の範囲】
【請求項１】
ＣＳ放送信号を受信するＣＳチューナーにおいて、
妨害波となる周波帯を除去または減衰するフィルタ回路と、
上記フィルタ回路を第１の中間周波数信号の経路に挿入する切換手段と、
上記切換手段を制御する切換制御手段とを備え、
上記切換制御手段は、
受信周波数を検出する周波数検出手段と、
上記周波数検出手段で検出された受信周波数と予め規定された所定周波数とを比較する比較手段とを有し、
上記比較手段での判断に基づき、上記フィルタ回路を上記第１の中間周波数信号の経路に挿入するように上記切換手段を制御する
ことを特徴とするＣＳチューナー。
【請求項２】
上記切換制御手段は、
上記比較手段で上記受信周波数は所定周波数以上であることを判断されたとき、上記切換手段をフィルタ回路側に切り換える
ことを特徴とする請求項１に記載のＣＳチューナー。
【発明の詳細な説明】
【０００１】
【発明の属する技術分野】
この発明は、ＣＳチューナーに関する。詳しくは、ＣＳチューナーの第１の中間周波数信号の経路にフィルタと該フィルタを切り換える切換手段とを設け、受信周波数が予め指定された周波数のときに、受信信号をフィルタ回路に通過させることで、希望周波数以外を除去または減衰することによって、共同受信システムにおけるＢＳ信号等に基づく妨害波を軽減して、ＣＳ放送の受信障害を改善できるようにしたＣＳチューナーに係るものである。
【０００２】
【従来の技術】
近年、放送衛星を利用したＢＳ（Broadcast Satellite）放送、ＣＳ（Communication Satellite）放送が開始されている。ＢＳ放送は、１１．７〜１２．０１ＧＨｚの周波数帯が使用され、ＢＳ受信アンテナに設けられたコンバータ内で、受信したＢＳ信号を高周波増幅した後、１０３５〜１３３５ＭＨｚの周波数帯の第１の中間周波数信号ＢＳ−ＩＦ（以下ＢＳ信号ＢＳ−ＩＦという）に変換している。その後、同軸ケーブルなどを用いて屋内のＢＳチューナーに導くようにしている。通常、ＵＨＦ／ＶＨＦ帯の放送信号と混合しした上で一本の同軸ケーブルを使用してＢＳチューナーに供給している。
【０００３】
一方、ＣＳ放送は、二つの衛星を用いて１２．２５〜１２．７５ＧＨｚの周波数帯で放送を行っている。この二つの衛星から、それぞれ同じ周波数を用いて垂直・水平の二つの偏波（合計で４つの偏波）で送信している。この場合、ＣＳ受信アンテナに設けられたコンバータ内で、受信したＣＳ放送信号を１０５０〜１５５０ＭＨｚの周波数帯の第１の中間周波数信号ＣＳ−ＩＦにダウンコンバートした上で、屋内に設けられたＣＳチューナーに伝送している。
【０００４】
ここで、ＢＳ放送とＣＳ放送とをそれぞれ受信できるようにするには、ＢＳアンテナとＢＳチューナーを１対１で連結し、ＣＳアンテナとＣＳチューナーを１対１で連結する受信システムを構成するのが基本であるが、マンション等の集合住宅に、このような受信システムを採用すると、配線量が増え、配線施工も困難を来たす。また、間取りが東向きのため、南西方向のＣＳ受信アンテナが設置できない場合もある。そのため、最近のマンション等の集合住宅では、ＣＳ放送とＢＳ放送およびＵＨＦ・ＶＨＦ放送の受信信号を１本の同軸ケーブルで広帯域化した上で多チャンネル伝送できるような受信システムが採用されいる。
【０００５】
図５は、このような共同受信システムの例を示している。図５に示すように、ＶＨＦアンテナ１、ＵＨＦアンテナ２、ＢＳアンテナ３、ＣＳアンテナ４により地上波（ＶＨＦ〜ＵＨＦ）放送、ＢＳデジタル放送、ＢＳアナログ放送、ＣＳデジタル放送の受信を行う。
【０００６】
ＶＨＦアンテナ１、ＵＨＦアンテナ２で受信されたＶＨＦ、ＵＨＦ地上波放送信号は、混合器７で混合され、１本の同軸ケーブルで伝送できるように一軸化される。その後ＢＳ・ＵＶブースター８に伝送されて増幅される。
【０００７】
ＢＳアンテナ３で受信されたＢＳ放送信号はＢＳコンバーター５で高周波増幅された後、ＢＳ中間周波数信号（ＢＳ−ＩＦ信号）に変換される。ＢＳ中間周波数信号（ＢＳ−ＩＦ信号）はＢＳ・ＵＶブースター８に伝送されて、さらに増幅される。
【０００８】
また上述したように、ＣＳアンテナ４で受信されたＣＳ放送信号は、ＣＳコンバーター６でダウンコンバートして高周波増幅された後、複数のＣＳ中間周波数信号（ＣＳ−ＩＦ信号）に変換される。これらのＣＳ中間周波数信号（ＣＳ−ＩＦ信号）は４本の同軸ケーブルを使ってＣＳブースター９へ伝送され、ＣＳブースター９で増幅された後、さらにこの例ではブロックコンバータを内蔵した。２衛星対応衛星信号共聴ユニット１０に入力される。
【０００９】
ＢＳ・ＵＶブースター８で混合された信号（ＶＨＦ、ＵＨＦ、ＢＳ−ＩＦ）も、２衛星対応衛星信号共聴ユニット１０に入力される。この例では２衛星対応衛星信号共聴ユニット１０内に設けられたブロックコンバータで、１０５０〜１５５０ＭＨｚ帯のＣＳ信号を周波数変換（アップコンバート）してＢＳ周波数帯域よりも高域側に配置するようになされている（図６参照）。図６は、ブロックコンバータと拡張ブロックコンバータを使用する共同受信システムにおけるＣＳトランスポンダー周波数配列を示している。図中のＫ１，Ｋ２，・・・Ｋ２８はトランスポンダー番号、Ｖは垂直偏波、Ｈは水平偏波である。
【００１０】
全ての信号（ＶＨＦ、ＵＨＦ、ＢＳ−ＩＦ、ＣＳ−ＩＦ）が互いに混合しないように周波数配列した上で、１本の同軸ケーブルで伝送できるようにしている（図７参照）。一軸化された放送信号は集合住宅に設けられた分配器１７を介して各部屋の壁コンセント１１へ配信される。壁コンセント１１から放送信号（ＶＨＦ、ＵＨＦ、ＢＳ−ＩＦ、ＣＳ−ＩＦ）がＣＳチューナー１３に入力される。さらに放送信号は、ＢＳ・ＵＶ分波器１２でＶＨＦ信号とＵＨＦ信号に分離された上でテレビ受信機に内蔵されたＵ・Ｖチューナー１４に入力される。また、ＶＨＦ信号とＵＨＦ信号が除去されたＢＳ−ＩＦ信号とＣＳ−ＩＦ信号がＢＳチューナー１５に入力することになる。
【００１１】
ＣＳチューナー１３では、２衛星対応衛星信号共聴ユニット１０から送られてきた１３８５〜２１５０ＭＨｚ帯のＣＳ−ＩＦ信号中から希望するチャンネルを選択することで、送信側で送られた映像と音声信号を受信できる。図８は、ＣＳチューナー１３のブロック図である。
【００１２】
図８に示すように、ＣＳチューナー１３は、ＵＨＦ／ＶＨＦ信号除去用フィルタ２１と、受信信号を増幅する初段アンプ２２と、トラッキングフィルタ２３と、ＡＧＣ（Automatic gain control：自動利得制御）回路２４と、中間（段間）増幅用アンプ２５と、ミキサー２６とローカル発振器２７および復調・エラー訂正部２８とから構成されている。
【００１３】
図８に示すＣＳチューナー１３を用いてＣＳ放送を受信する際に、入力端子２０に供給された受信信号（ＶＨＦ、ＵＨＦ、ＣＳ−ＩＦ，ＢＳ−ＩＦ）は、ＵＨＦ／ＶＨＦ信号除去用フィルタ２１でＵＨＦ／ＶＨＦ信号が除去された後初段アンプ２２に供給され、初段アンプ２２で増幅された受信信号がトラッキングフィルタ２３に供給され、トラッキングフィルタ２３でユーザが選局されたチャネルの周波数を含む所定周波数範囲の信号が選択される。選択された所定周波数範囲の受信信号は、ＡＧＣ回路２４を介して中間増幅用アンプ２５に入力される。中間増幅用アンプ２５で増幅された後ミキサー２６に供給される。ミキサー２６では、チャンネル選局と連動するローカル発振器２７の発振信号とＣＳ−ＩＦ信号（ＢＳ−ＩＦ信号を含む）とを混合して、更に低い周波数、例えば４００ＭＨｚ程度の第２の中間周波信号ＩＦ（以下ＩＦ信号という）に変換する。ミキサー２６で得られたＩＦ信号は、信号復調用復調・エラー訂正部２８に入力される。復調・エラー訂正部２８では、周知のようにデスクランブル処理やＭＰＥＧ復号処理などの各種データ処理が施される。そして、復調・エラー訂正部２８で復調された映像および音声信号はテレビ受信機に内蔵された映像および音声増幅系（図示はしない）等に供給され、映像の再現及び音声の再生が行われる。
【００１４】
【発明が解決しようとする課題】
上述したように共同受信システムではＣＳ放送を受信する際に、一軸化された受信信号（ＶＨＦ、ＵＨＦ、ＢＳ−ＩＦ、ＣＳ−ＩＦ）がＣＳチューナー１３に入力される。図７に示すように、ＶＨＦ、ＵＨＦ信号の周波数帯域はＣＳ信号ＣＳ−ＩＦのより離れているため、受信しないＶＨＦ、ＵＨＦ帯の信号はハイパスフィルタ２１（図８参照）で除去することが可能である。
【００１５】
しかし、図７に示すようにＢＳ信号と、周波数変換されたＣＳ信号の下限帯域との間隔は５０ＭＨｚしかない。これに対し、上述したトラッキングフィルタ２３の帯域幅は通常５００ＭＨｚ程度であるため、このトラッキングフィルタ２３によってＢＳ信号を除去するのは困難である。従って、ＣＳ放送信号のうちローチャンネルの局を受信するとき、ＣＳチューナー１３にはＢＳ−ＩＦ信号も分離されずに受信されてしまう。この場合、例えば、ＢＳ・ＵＶブースター８とＣＳブースター９のゲインの調整やゲイン傾きのポジションなどの原因により、ＣＳ−ＩＦ信号のレベルに対してＢＳ−ＩＦ信号のレベルが著しく高く、例えば、図９に示すようにＢＳ−ＩＦ信号のレベルがＣＳ−ＩＦ信号のレベルより２０ｄＢ以上高くなる場合も生ずることがある。そうすると、このＢＳ−ＩＦ信号が受信しようとするＣＳ放送信号に対する妨害波となってしまう。これは、ＣＳチューナー１３のＡＧＣ回路２４は、ＣＳ−ＩＦ信号の受信レベルに対して動作するから、このＡＧＣ制御によって、ＢＳ−ＩＦ信号の妨害波が強レベルの状態で後段のデータ復調系に供給されることになる。
【００１６】
ＢＳデジタル放送の第１チャンネル（ＢＳ１その周波数はｆ１）や第３チャンネル（ＢＳ３、その周波数はｆ２）の高次歪みがミキサー２６やその周辺回路（例えばアンプ２５）で発生し、その歪み周波数が受信チャネル周波数と同一であったり、接近した周波数であると、ＣＳ−ＩＦ信号（希望波）に対し妨害を与える。この妨害波によってエラー訂正処理ができなくなると、デジタル復調できないなどの障害が生じ、ＣＳ放送の受信に影響を与える問題がある。
【００１７】
通常はアンテナ系でＣＳ信号とＢＳ信号のレベル差が生じないように調整しているが、マンション等の集合住宅の場合、ＢＳ・ＵＶブースター８およびＣＳブースター９の設置場所が調整しにくいところにある場合が多く、したがって、一旦レベル調整ずれが発生すると、簡単に受信信号のレベルを調整することができないので、上述したような受信障害を惹起こしている。
【００１８】
また、図１０に示すような水平偏波、垂直偏波を一軸で伝送する（例えば、ＣＳとＵＨＦ／ＶＨＦの共同受信システム）場合では、ＢＳ信号は一緒に伝送されていないが、ＣＳ信号自体が広い帯域を使用しているため、ケーブル、分配器などの減衰量の周波数特性から、周波数の高い水平偏波の信号が周波数の低い垂直偏波の信号より大きく減衰してしまう傾向にある。その結果、垂直偏波の信号レベルが高く、水平偏波の信号レベルが低くなってしまう。受信する際に、レベルの高い垂直偏波の信号による高次歪みが発生したときには、上述と同じく水平偏波帯に受信障害が生じる問題がある。
【００１９】
そこで、この発明は、受信信号レベル差が発生しているような場合でもＢＳ信号または垂直偏波などの妨害波による高次歪みを軽減でき、ＣＳ放送の受信障害を改善できるＣＳチューナーを提供することを目的とする。
【００２０】
【課題を解決するための手段】
この発明に係るＣＳチューナーは、ＣＳ放送信号を受信するＣＳチューナーにおいて、妨害波となる周波帯を除去または減衰するフィルタ回路と、該フィルタ回路を第１の中間周波数信号の経路に挿入する切換手段と、切換手段を制御する切換制御手段とを備え、切換制御手段は、受信周波数を検出する周波数検出手段と、周波数検出手段で検出された受信周波数と予め規定された所定周波数とを比較する比較手段とを有し、比較手段での判断に基づき、フィルタ回路を第１の中間周波数信号の経路に挿入するように切換手段を制御するものである。
【００２１】
この発明においては、ＣＳチューナーの第１の中間周波数信号の経路に、該フィルタを切り換える切換手段とを設け、共通のアンテナで受信する際に、ＣＳ放送の受信周波数が予め指定された周波数のとき、例えば所定周波数以上となったときにはフィルタ回路側を介在させて、受信信号をフィルタリングする。このフィルタリングによって、受信を希望しない他の信号（ＢＳ信号等）を除去または減衰させる。ＢＳ信号等に基づく妨害波を軽減でき、ＣＳ放送の受信障害を改善できる。
【００２２】
例えば、このようなＣＳチューナーは、受信信号の周波数を検出する検出手段と、ＣＳ信号の周波数と予め規定された所定周波数とを比較する比較手段とを備え、受信信号の周波数が所定周波数、例えば１３８５ＭＨｚ以上と判断されたとき、切換手段をフィルタ回路側に切り換える。これによって、自動的に回路切換を実現できる。
【００２３】
ＣＳチューナーの受信周波数が所定周波数値より低い場合、切換スイッチをスルー側に切り換える。これにより、受信信号が１０５０〜１５５０ＭＨｚ帯域で配信される個別受信システムで周波数１３８５ＭＨｚ以下のＣＳ放送を受信する場合、フィルタの影響を受けることなく、ＣＳ放送を受信することが可能となる。
【００２４】
【発明の実施の形態】
以下、図面を参照しながら、この発明の実施の形態について説明する。図１は、この発明の実施の形態のＣＳチューナー１００のブロック図である。また、この図１において、図８と対応する部分には同一符号を付して示している。図２は、フィルタの構成を示している。
【００２５】
図１に示すように、ＣＳチューナー１００は、受信信号であるＣＳ−ＩＦ信号が供給されるＵＨＦ／ＶＨＦ信号除去用フィルタ２１と、その受信信号を増幅する初段アンプ２２と、受信信号のゲインを調整するＡＧＣ（Automatic gain control：自動利得制御）回路２４と、中間（段間）増幅用アンプ２５と、受信チャンネルを選局するミキサー２６およびローカル発振器２７と、復調・エラー訂正部２８と、フィルタ２９と、切換手段としての切換スイッチＳＷ１，ＳＷ２と、切換制御手段としての切換制御部３０から構成されている。
【００２６】
ＵＨＦ／ＶＨＦ信号除去用フィルタ２１は、ハイパスフィルタ構成で、受信信号中よりＵＨＦ／ＶＨＦ信号が除去される。
初段アンプ２２は、比較的にレベルが低い受信信号を所定レベルに増幅させるため増幅器である。
【００２７】
ＡＧＣ回路２４は、ＣＳ−ＩＦ信号のレベルを自動的に制御する回路である。このＡＧＣ回路２４の設定は弱入力時の受信限界レベルや中電界でのＣ／Ｎ対ＢＥＲ（ビット誤り率）の性能、また強電界時の受信限界レベルを考慮して決めている。
【００２８】
中間増幅用アンプ２５は、受信信号のレベルをさらに増幅させるために設けられており、前段フィルタなど回路（図示せず）を通過する際に減衰された受信信号が増幅されて、次のミキサー２６に供給される。
【００２９】
ミキサー２６は、チャンネルセレクトと連動するローカル発振器２７の発信信号とＣＳ−ＩＦ信号とを混合して、更に低い周波数、例えば４００ＭＨｚ程度の第２の中間周波信号ＩＦに変換する回路である。
【００３０】
復調・エラー訂正部２８は、この例ではいずれも図示はしないが、入力されたＩＦ信号を移相９０°に異なる二つの信号（ＩとＱ）に変換する直交検波回路と、ＱＰＳＫ（Quadrature Phase Shift Keying）デコーダと、Ａ／Ｄ変換器、デスクランブル回路およびＭＰＥＧデコーダ等の周知の回路系を含む。復調・エラー訂正部２８内部のＡ／Ｄ変換器で、Ｉ、Ｑ信号に基づいてＩＦ信号のレベルが検出され、ＩＦ信号のレベルに応じた検出信号がＡＧＣ回路２４に出力されて、ＡＧＣ回路２４によりＣＳ−ＩＦ信号のレベルを制御する。ＣＳ放送の選局映像および音声信号などがこの復調・エラー訂正部２８から出力される。
【００３１】
また、フィルタ回路としては、所定の帯域特性を有するフィルタ２９が設けられている。フィルタ２９の前後に切換手段としての切換スイッチＳＷ１，ＳＷ２とが配置されている。フィルタ２９は、図２に示すように、複数段のコンデンサ３１，３２とコイル３３から構成されたハイパスフィルタで、この例では分布定数回路構成となっている。このフィルタ２９は、ＢＳ信号を除去し、ＣＳ信号を通過させるため、例えば、図７の例では１３８５ＭＨｚ以上を通過帯域とする。フィルタ２９は、初段アンプ２２の出力端とＡＧＣ回路２４の入力端の間に配置されている。受信信号がフィルタ２９を通過すると、ＢＳ信号が除去される。
【００３２】
図３は、フィルタ２９の通過帯域特性を示している。図中の曲線１は通過特性（Ｓ２，１）、曲線２は入力反射特性（Ｓ１，１）である。図３において、ポイントｍ１は周波数１．３９０ＧＨｚのときの通過特性、ポイントｍ２は周波数１．３２０ＧＨｚのときの通過特性、ポイントｍ３は周波数１．３９０ＧＨｚ（ＣＳの下限帯域）反射特性を示し、そしてポイントｍ４は周波数１．２８０ＧＨｚのときの通過特性を示す。図３の曲線２から明らかなように、ＣＳ−ＩＦのポイントｍ３によって示される下限帯域（例えば周波数１．３９０ＧＨｚ）で１０ｄＢの反射特性となっているが判る。つまり９０％以上の周波数成分は通過する。
【００３３】
なお、フィルタ２９は、図のようにコンデンサ３１，３２とコイル３３により構成されたフィルタ構成要素の段数を増やすことによって、より急峻なフィルタが得られる。その結果、ＢＳ信号を除去することができる。
【００３４】
図１に示す切換制御部３０は、受信するチャンネルの周波数を検出する検出手段（図示はしない）と、検出された受信周波数と予め規定された所定周波数、例えば１３８５ＭＨｚとを比較する比較手段（図示はしない）とを有する。受信周波数が１３８５ＭＨｚ以上であると判断したとき、この切換制御部３０で、スイッチＳＷ１，ＳＷ２をフィルタ２９側に切り換える。
【００３５】
次に、ＣＳチューナー１００の動作について、図１および図４を参照して説明する。図４は、ＣＳチューナー１００の動作を示している。なお、ＣＳ放送の受信システムは、上述した共同受信システム（図５参照）と同一である。
【００３６】
まず、ステップＳ１１で、入力端子２０から信号（ＶＨＦ、ＵＨＦ、ＣＳ−ＩＦ，ＢＳ−ＩＦ）を受信する。この場合、入力された受信信号（ＶＨＦ、ＵＨＦ、ＣＳ−ＩＦ，ＢＳ−ＩＦ）のうちＵＨＦ／ＶＨＦ信号除去用フィルタ２１でＵＨＦ／ＶＨＦ信号が除去される。そして信号レベルを増幅させるために受信信号を初段アンプ２２に供給したのち、ステップＳ１２に進み、ユーザが選局したチャネルに基づいて受信周波数を検出する。
【００３７】
次に、ステップＳ１３で、受信周波数が所定周波数、例えば１３８５ＭＨｚ以上であるか否かを判断し、１３８５ＭＨｚ以上の場合、ステップＳ１４で、切換制御部３０により制御信号が出力され、スイッチＳＷ１，ＳＷ２を接点ｂ１，ｂ２側に切り換える。これにより、受信信号がフィルタ２９を通過するため、ＢＳ信号が除去される。
【００３８】
その後ステップＳ１５で、電源がオフされたか否かを判断し、電源がオフされた場合、動作が終了する。電源がオフでないときには、ステップＳ１２に戻り、上述した動作を繰り返す。
【００３９】
ステップＳ１３で、検出周波数が１３８５ＭＨｚ以上ではない場合には、スイッチＳＷ１，ＳＷ２を接点ａ１，ａ２側に接続したままで受信を行う。
【００４０】
このように本実施の形態においては、初段アンプ２１の出力端とＡＧＣ回路２４の入力端の間にＢＳ信号を除去するフィルタ２９が設けられ、ＣＳ放送を受信する際に、受信周波数は１３８５ＭＨｚ以上であることを判断されたとき、スイッチＳＷ１，ＳＷ２を接点ｂ１，ｂ２側に切り換え、受信信号をフィルタ２９に通過させることによって、受信信号が中段増幅器およびミキサー回路に入力される前に、受信信号中に含まれたＢＳ信号を除去することができるため、共同受信システムのＢＳ信号に基づく妨害波を軽減でき、受信障害を改善できる。
【００４１】
また、ＣＳチューナーの受信周波数が所定周波数以上ではないときには、スイッチＳＷ１，ＳＷ２を接点ａ１，ａ２側に接続したままで受信を行うことによって、個別受信システムで１０５０〜１５５０ＭＨｚ周波数帯域を受信する場合、フィルタの影響を受けることなく、ＣＳ放送を受信できる。
【００４２】
なお、上述実施の形態においては、共同受信システムでブロックコンバータと拡張ブロックコンバータを使用して受信信号を一軸化する場合、ＢＳ信号を除去するように説明したが、これに限定されるものではない。例えば、図１０に示すような水平偏波、垂直偏波を一軸で伝送する場合にもこの発明を適用できる。
【００４３】
この場合、ＣＳ放送を受信する際に、受信周波数は所定周波数、例えば１３８５ＭＨｚ以上であることを判断されたとき、スイッチＳＷ１，ＳＷ２を接点ｂ１，ｂ２側に切り換えることによって、受信信号が中段増幅器およびミキサー回路に入力される前に、高レベルの垂直偏波信号を減衰または除去することができるため、水平偏波帯に受信障害が生じる状況を回避できる。
【００４４】
また、上述実施の形態においては、受信周波数が所定周波数以上のとき、フィルタ回路を上記第１の中間周波数信号の経路に挿入することで、受信周波数帯域内の受信を希望しない他の信号を除去または減衰させる例を示したが、所望周波数より高い周波数帯域の他の信号に基づく妨害波を存在する場合にもこの発明を適用できる。その場合、受信周波数が所定周波数以下のとき、フィルタ回路を上記第１の中間周波数信号の経路に挿入することになる。
【００４５】
【発明の効果】
この発明によれば、切換制御手段を備え、受信周波数を検出し、検出された受信周波数と予め規定された所定周波数とを比較し、比較結果に基づき、フィルタ回路を第１の中間周波数信号の経路に挿入するように切換手段を制御することで、受信周波数帯域内に受信を希望しない他の信号を除去または減衰させることができ、共同受信システムにおけるＢＳ信号等に基づく妨害波（高次歪み）を軽減でき、ＣＳ放送の受信障害を改善できる。
【００４６】
ＣＳチューナーの受信周波数が所定周波数値より低いときにはフィルタ回路を通らないので、受信信号が１０５０〜１５５０ＭＨｚ帯域で配信される個別受信システムでも周波数１３８５ＭＨｚ以下のＣＳ放送を受信する場合でも、フィルタの影響を受けることなく、ＣＳ放送を受信できる。
【図面の簡単な説明】
【図１】実施の形態のＣＳチューナーの構成を示す図である。
【図２】フィルタの構成を示す図である。
【図３】フィルタの特性を示す図である。
【図４】ＣＳチューナーの動作を示す図である。
【図５】共同受信システムの例を示す図である。
【図６】ＣＳトランスポンダー周波数配列を示す図である。
【図７】一軸化された受信信号の周波数配列状態を示す図である。
【図８】従来のＣＳチューナーの構成を示す図である。
【図９】ＣＳ信号とＢＳ信号のレベル差を示す図である。
【図１０】水平偏波、垂直偏波を一軸で伝送する場合のトランスポンダー周波数配列を示す図である。
【符号の説明】
１・・・ＶＨＦアンテナ、２・・・ＵＨＦアンテナ、３・・・ＢＳアンテナ、４・・・ＣＳアンテナ、５・・・ＢＳコンバータ、６・・・ＣＳコンバータ、７・・・ＵＶ混合器、８・・・ＢＳ・ＵＶブースタ、９・・・ＣＳブースタ、１０・・・共聴ユニット、１１・・・壁コンセント、１２・・・ＢＳ・ＵＶ分波器、１３，１００・・・ＣＳチューナー、１４・・・ＵＶチューナー、１５・・・ＢＳチューナー、１７・・・分配器、２０・・・入力端子、２１・・・ＵＨＦ／ＶＨＦ除去フィルタ、２２，２５・・・アンプ、２３・・・トラッキングフィルタ、２４・・・ＡＧＣ回路、２６・・・ミキサー、２７・・・ローカル発振器、２８・・・復調・エラー訂正部、２９・・・フィルタ、３０・・・切換制御部、ＳＷ１，ＳＷ２・・・切換スイッチ、３１，３２・・・コンデンサ、３３・・・コイル
【図１】
0003879562.tif 000002
【図２】
0003879562.tif 000003
【図３】
0003879562.tif 000004
【図４】
0003879562.tif 000005
【図５】
0003879562.tif 000006
【図６】
0003879562.tif 000007
【図７】
0003879562.tif 000008
【図８】
0003879562.tif 000009
【図９】
0003879562.tif 000010
【図１０】
0003879562.tif 000011